(57)【特許請求の範囲】
【請求項１】
ハンドルに連動回転するロータの支持アームに装着した支持部材に、釣糸案内部を設けたラインローラを回転可能に支持した魚釣用スピニングリールに於て、
上記ラインローラの一側部に、巻取り操作時に於ける釣糸のラインローラ軸方向への移動を規制するガイド部を、ラインローラの他側部側よりも１ｍ／ｍ以上大径且つその釣糸接触面を平滑な平面状に成形し、
ラインローラの釣糸案内部を、上記ガイド部の基部に設けた釣糸の案内周溝と、当該案内周溝からロータの釣糸巻取り回転方向へ順次大径に成形されて、釣糸を当該案内周溝に誘導する傾斜誘導面とで構成すると共に、
ガイド部の隅部に、上記案内周溝に連通する座ぐりを設けたことを特徴とする魚釣用スピニングリール。
【発明の詳細な説明】
【０００１】
【発明の属する技術分野】
本発明は、糸撚れの蓄積による釣糸の糸絡みや糸切れを防止し、併せて釣糸のダメージの軽減を図った魚釣用スピニングリールに関する。
【０００２】
【従来の技術】
従来周知のように魚釣用スピニングリール（以下、「スピニングリール」という）は、ロータに設けた一対の支持アームの先端に、半環状のベールが一対の支持部材を介して釣糸巻取り位置と釣糸放出位置とに反転自在に取り付き、スプールに釣糸を案内するラインローラが一方の支持部材に装着されている。
【０００３】
そして、ベールを釣糸巻取り位置に倒してハンドル操作で釣糸の巻取り操作を行うと、ロータの回転に連動して前後方向へトラバース運動するスプールに釣糸が巻回され、また、ベールを釣糸放出位置へ倒して仕掛けを投擲すると、スプールに巻回された釣糸がスパイラル状に繰り出されるようになっている。
【０００４】
ところで、従来、この種のスピニングリールにあっては、スプールの周囲を回転するロータ（支持部材）に装着したラインローラによって釣糸をスプールに案内する構造上、釣竿ガイドに対するラインローラの位置の変化やスプールに巻回される釣糸の糸巻径の変化、更には前後方向へトラバース運動するスプールの位置の変化の影響でラインローラの釣糸案内部への糸道が安定せず、このため、スプールへの釣糸の巻取りに伴い、釣糸がラインローラの軸方向へ移動して釣糸に糸撚れが発生することが知られている。
【０００５】
そして、釣糸に糸撚れが蓄積されると、魚釣操作中に糸絡みが発生し、また、長期に亘る使用によって糸切れ等のトラブルが発生してしまう虞があった。
また、斯かる不具合を解決するため、昨今、図５及び図６に示すように、ラインローラ１，３の釣糸案内部１ａ，３ａの外周面に案内周溝５，７を設けたスピニングリールが、実開平６−４６４６７号公報及び実用新案登録第３０２０７９８号公報で夫々開示されている。
【０００６】
而して、これらのスピニングリールによれば、案内周溝５，７が釣糸の不要な軸方向（各図中、矢印方向）への移動を規制するため、糸道が安定して従来に比し糸撚れを減少させることが可能となる。
【０００７】
【発明が解決しようとする課題】
しかし乍ら、図５及び図６に示す従来例にあっては、釣糸をスプールに案内する案内周溝５，７の側面（軸方向規制面）の接触面積が小さく、而も、実際の巻取り操作時に於ける釣糸の張力変動の影響もあって、当該側面との摺接抵抗で釣糸に局部的な変形やしごきが加わり、釣糸がダメージを受けて寿命が低下してしまうといった課題が残されていた。
【０００８】
本発明は斯かる実情に鑑み案出されたもので、糸撚れの蓄積による釣糸の糸絡みや糸切れを防止し、併せて釣糸のダメージの軽減を図ったスピニングリールを提供することを目的とする。
【０００９】
【課題を解決するための手段】
斯かる目的を達成するため、請求項１に係る発明は、ハンドルに連動回転するロータの支持アームに装着した支持部材に、釣糸案内部を設けたラインローラを回転可能に支持したスピニングリールに於て、上記ラインローラの一側部に、巻取り操作時に於ける釣糸のラインローラ軸方向への移動を規制するガイド部を、ラインローラの他側部側よりも１ｍ／ｍ以上大径且つその釣糸接触面を平滑な平面状に成形し、ラインローラの釣糸案内部を、上記ガイド部の基部に設けた釣糸の案内周溝と、当該案内周溝からロータの釣糸巻取り回転方向へ順次大径に成形されて、釣糸を当該案内周溝に誘導する傾斜誘導面とで構成すると共に、ガイド部の隅部に、上記案内周溝に連通する座ぐりを設けたことを特徴とする。
【００１０】
（作用）
請求項１に係るスピニングリールによれば、釣糸の巻取り操作時に各ラインローラの傾斜誘導面が釣糸を案内周溝に案内させた後、当該案内周溝とガイド部の釣糸接触面が糸道を安定させて釣糸のラインローラ軸方向への不要な移動を規制する。
【００１１】
また、ガイド部の外径をラインローラの他側部よりも大径として釣糸接触面の接触面積を大きくすると共に、釣糸接触面を平滑な平面状に成形したので、釣糸に局部的な変形やしごきが加わることがなく、釣糸に与えるダメージが減少する。
【００１２】
更に、ガイド部の隅部に座ぐりを設けることで、案内周溝の軸方向規制面と釣糸との接触がなくなり、釣糸に対する抵抗が軽減することとなる。
【００１３】
【発明の実施の形態】
以下、本発明の実施形態を図面に基づき詳細に説明する。
図１乃至図４は請求項１に係るスピニングリールの一実施形態を示し、図１に於て、１１はスピニングリール１３のリール本体で、当該リール本体１１の前端に、図示しないフライヤ軸を介してロータ１５が回転可能に軸着されており、ロータ１５には、図２に示すようにこれと一体に一対の支持アーム１７，１９がリール本体１１の前後方向に形成されている。
【００１４】
そして、支持アーム１７，１９の先端に、一対のベール支持部材２１，２３が釣糸巻取り位置と釣糸放出位置とに反転自在に装着されており、両ベール支持部材２１，２３間に半環状のベール２５が取り付き、一方のベール支持部材２１にラインローラ６９が回転可能に装着されている。
図３に示すようにベール支持部材２１は、支持アーム１７に反転自在に取り付くベールアーム２９と、ベール２５の取付部として機能する断面略Ｔ字状のラインスライダー３１とからなり、ラインスライダー３１はその軸部３１ａがベールアーム２９にボルト締めされている。そして、当該軸部３１ａとベールアーム２９との間に挟持されたボールベアリング３３を介して、ラインローラ６９が回転可能に支持されている。
【００１５】
而して、図３及び図４に示すようにラインローラ６９のベールアーム２９側周縁部には、釣糸の巻取り操作時に釣糸のラインローラ軸方向への移動を規制して糸道を安定させる環状のガイド部６５が一体成形されており、ガイド部６５は、その外径Ｌ1 がラインローラ６９の他側部６９ａの外径Ｌ2 よりも１ｍ／ｍ以上大径に形成されると共に、巻取り操作時に釣糸が接触するその釣糸接触面６５ａが、ラインローラ６９の軸方向に対し垂直な平滑面とされている。
【００１６】
そして、ラインローラ６９の釣糸案内部６７は、ガイド部６５の基部に設けた案内周溝６７ａと、当該案内周溝６７ａに釣糸を誘導する傾斜誘導面６７ｂとで構成されており、傾斜誘導面６７ｂは、案内周溝６７ａからロータ１５の釣糸巻取り回転方向へ向け順次大径となるテーパ状に形成され、また、案内周溝６７ａの底部はラインローラ６９の軸方向と平行に形成されている。
更に、図４に示すようにガイド部６５の隅部には、案内周溝６７ａに連通する座ぐり７１が設けられており、斯様に座ぐり７１を設けることで、案内周溝６７ａの軸方向規制面と釣糸との接触をなくして釣糸に対する抵抗の軽減を図っている。
【００１７】
尚、既述したようにガイド部６５の外径Ｌ1 は、ラインローラ６９の他側部６９ａの外径Ｌ2 よりも１ｍ／ｍ以上大きく設定されているが、これを２ｍ／ｍ以上大きく設定すると、平滑な釣糸接触面６５ａが更に大きくなって、釣糸への摺接が優しくより好ましいものとなることが試験結果から明らかとなっている。
そして、図３に於て、２９ａ，３１ｂは、夫々、ガイド部６５とラインローラ６９の他側部６９ａの外周を覆ってベールアーム２９とラインスライダー３１の周縁部に設けた糸噛み防止用の環状突起で、上述したようにガイド部６５に比しラインローラ６９の他側部６９ａ側を小径とした結果、ベールアーム２９側の環状突起２９ａの外径Ｌ3 に比しラインスライダー３１側の環状突起３１ｂの外径Ｌ4 を小さくすることができ、この結果、ラインスライダー３１の小型，軽量化によってロータ１５全体の軽量化が図られると共に、前方への重量偏倚が少なくなってロータ１５の回転バランスが良好となる副次的な効果が得られる。
【００１８】
また、図１に示すようにリール本体１１にはロータ１５と同軸上にスプール４１が装着されており、当該スプール４１は、リール本体１１にトラバース運動可能に取り付く図示しないスプール軸の先端にナットを介して螺着されている。
そして、リール本体１１には釣糸巻取用のハンドル４３が装着されており、ハンドル４３のハンドル軸とロータ１５は、図示しない従来周知の駆動歯車やピニオンからなるギヤ機構を介して連繋され、また、スプール軸は、その後端部に固着した摺動子やトラバースカム軸からなる従来周知のトラバース機構により、ロータ１５の回転に連動してリール本体１１の前後方向へ往復動するようになっている。
【００１９】
尚、図１に示すように上記スプール４１も、従来と同様、前側鍔部４１ａと釣糸巻回胴部４１ｂと後側鍔部４１ｃとで構成されている。そして、一般にスプールの釣糸巻回胴部は、スプール軸方向前方に向かって順次小径となるテーパ状（正テーパ）に成形されているが、本実施形態は、スプール４１の釣糸巻回胴部４１ｂを従来と逆方向にテーパ状（逆テーパ）に成形して、釣糸放出時に於ける釣糸の糸崩れの防止を図っている。
【００２０】
また、本実施形態は、上記釣糸巻回胴部４１ｂを従来に比し大口径化すると共に、後側鍔部４１ｃの後部４１ｄ側を内方へ向けて折曲形成したことを特徴としており、斯様に後側鍔部４１ｃの後部４１ｄ側を内方へ折曲させることで、ロータ１５を大口径化することなくスプール４１の大口径化が可能となり、この結果、糸巻量の増加，釣糸の放出性の向上等といったスプールの大口径化の利点を活かし乍ら、釣糸放出時の糸崩れの防止を図り、更にリール全体の小型，軽量化が可能となる
そして、一般にラインローラの材質としては種々のセラミックスや銅合金に硬質メッキ処理を施した硬質材が多く使用されるが、上記ラインローラ６９もこのような硬質材によって成形されている。
【００２１】
本実施形態はこのように構成されているから、ベール２５を釣糸放出位置へ倒して仕掛けを投擲すると、スプール４１に巻回された釣糸がスパイラル状に繰り出され、スプール４１の釣糸巻回胴部４１ｂは逆テーパに成形されているため、釣糸放出時に於ける釣糸の糸崩れが防止される。
また、ベール２５を釣糸巻取り位置へ反転させてハンドル操作でロータ１５を釣糸巻取り方向へ回転させれば、これに連動してリール本体１１の前後方向へトラバース運動するスプール４１に、ラインローラ６９を介して釣糸が巻回されるが、釣糸巻取り位置へのベール２５の反転操作で釣糸が傾斜誘導面６７ｂを介して案内周溝６７ａに案内され、当該案内周溝６７ａと、ガイド部６５の垂直な平滑面からなる釣糸接触面６５ａによって釣糸のラインローラ軸方向への移動を規制し乍ら、糸道を安定させて釣糸をスプール４１に案内する。
そして、斯様に釣糸接触面６５ａを垂直な平滑面とすることで、ベール反転操作による糸すくい時等に、案内周溝６７ａからの釣糸のはみ出しや乗り上がりを防止することができ、また、ガイド部６５の隅部に座ぐり７１を設けることで、案内周溝６７ａの軸方向規制面と釣糸との接触をなくして釣糸に対する抵抗の軽減が図られる。
【００２２】
そして、ガイド部６５は、ラインローラ６９の他側部６９ａよりも外径が１ｍ／ｍ以上大径とされて釣糸接触面６５ａの接触面積が大きくされると共に、当該釣糸接触面６５ａが垂直な平滑面とされているため、図５及び図６の従来例に比し釣糸に局部的な変形やしごきが加わることがない。
【００２３】
このように、本実施形態は、釣糸の巻取り操作時に傾斜誘導面６７ｂが釣糸を案内周溝６７ａに案内させた後、当該案内周溝６７ａとガイド部６５の釣糸接触面６５ａが糸道を安定させて釣糸のラインローラ軸方向への不要な移動を規制するので、糸撚れが蓄積されず、糸撚れの蓄積による糸絡みや糸切れ等のトラブルの発生を防止することが可能となった。
【００２４】
また、既述したように本実施形態は、ガイド部６５の外径をラインローラ６９の他側部６９ａよりも大径として釣糸接触面６５ａの接触面積を大きくすると共に、その釣糸接触面６５ａをラインローラ６９の軸方向に対して垂直な平滑面としたので、図５及び図６に示す従来例に比し釣糸に局部的な変形やしごきが加わることがなくなって、釣糸に与えるダメージが減少することとなった。
更に、斯様に釣糸接触面６５ａを垂直な平滑面とすることで、ベール反転操作による糸すくい時等に、案内周溝６７ａからの釣糸のはみ出しや乗り上がりを防止することができると共に、ガイド部６５の隅部に座ぐり７１を設けることで、案内周溝の軸方向規制面と釣糸との接触をなくして釣糸に対する抵抗の軽減が図れる利点を有する。
【００２５】
更にまた、ガイド部６５に比しラインローラ６９の他側部６９ａ側を小径とした結果、ベールアーム２９側の環状突起２９ａの外径に比しラインスライダー３１側の環状突起３１ｂの外径を小さくすることができるので、ラインスライダー３１の小型，軽量化によってロータ１５全体の軽量化が図られると共に、前方への重量偏倚が少なくなってロータ１５の回転バランスが良好となる利点を有する。
【００２６】
加えて、本実施形態によれば、スプール４１の釣糸巻回胴部４１ｂを逆テーパ形状としたため、釣糸放出時に於ける釣糸の糸崩れの防止が図れると共に、スプール４１の後側鍔部４１ｃの後部４１ｄ側を内方へ折曲させることで、ロータ１５を大口径化することなくスプール４１の大口径化が可能となるため、スプールの大口径化の利点を活かし乍らリール全体の小型，軽量化が可能となった。
【００２７】
【発明の効果】
以上述べたように、請求項１に係るスピニングリールによれば、釣糸の巻取り操作時に於ける糸道が安定すると共に、釣糸に局部的な変形やしごきが加わることがなくなって釣糸のダメージが減少することとなった。
【００２８】
而も、ガイド部に比しラインローラの他側部側を小径とした結果、ベール取付部側の小型，軽量化か可能となるので、ロータ全体の軽量化が図られると共に、前方への重量偏倚が少なくなってロータの回転バランスが良好となる利点を有する。
そして、ガイド部の隅部に座ぐりを設けることで、案内周溝の軸方向規制面と釣糸との接触をなくして、釣糸に対する抵抗の軽減が図れる利点を有する。
【図面の簡単な説明】
【図１】請求項１の一実施形態に係るスピニングリールの正面図である。
【図２】図１に示すスピニングリールの側面図である。
【図３】ラインローラとこれを支持するベール支持部材の断面図である。
【図４】図１のスピニングリールに用いるラインローラの断面図である。
【図５】従来のラインローラとこれを支持するベール支持部材の断面図である。
【図６】従来の他のラインローラとこれを支持するベール支持部材の断面図である。
【符号の説明】
１１  リール本体
１３  スピニングリール
１５  ロータ
１７，１９  支持アーム
２１，２３  ベール支持部材
２５  ベール
２９  ベールアーム
３１  ラインスライダー
４１  スプール
６５  ガイド部
６５ａ  釣糸接触面
６７  釣糸案内部
６７ａ  案内周溝
６７ｂ  傾斜誘導面
６９  ラインローラ
７１  座ぐり
【図１】
0003609063.tif 000002
【図２】
0003609063.tif 000003
【図３】
0003609063.tif 000004
【図４】
0003609063.tif 000005
【図５】
0003609063.tif 000006
【図６】
0003609063.tif 000007